(57)【要約】【課題】うなり音を抑制したコイル部品を提供することを目的としている。【解決手段】分割磁心３１は、平板状の背磁脚３３と、この背磁脚３３の中央部に配置した中磁脚３４と、この中磁脚３４の外側に配置した外磁脚３５とを有するＥ型形状であって、一方の分割磁心３１の背磁脚３３を実装基板３６に対向させ、この分割磁心３１と実装基板３６との間に分割磁心３１および実装基板３６の弾性率よりも大きい弾性率を有する緩衝材３７を設けた構成である。【選択図】図１
2006066683.tif 000002
【特許請求の範囲】
【請求項１】
実装基板に対向して配置した閉磁路磁心を備え、前記実装基板と前記閉磁路磁心との間に前記閉磁路磁心または前記実装基板の弾性率よりも大きい弾性率を有する緩衝材を設けたコイル部品。
【請求項２】
前記緩衝材は、接着性を有する材料からなり、前記閉磁路磁心と前記実装基板とを接着した請求項１記載のコイル部品。
【請求項３】
前記閉磁路磁心は、分割磁心を組み合わせて形成しており、前記分割磁心の少なくとも一方は、平板状の背磁脚と、前記背磁脚の中央部に配置した中磁脚と、前記中磁脚の外側に配置した外磁脚とを有するＥ型形状とし、一方の前記分割磁心の中磁脚と他方の分割磁心との間にギャップを設けた請求項１記載のコイル部品。
【請求項４】
前記閉磁路磁心と前記実装基板との間にスペーサを設けた請求項１記載のコイル部品。
【請求項５】
前記スペーサは、前記閉磁路磁心のコーナ部に配置した請求項４記載のコイル部品。
【請求項６】
前記スペーサは粘着テープからなる請求項４記載のコイル部品。
【請求項７】
前記スペーサはガラスビーズからなる請求項４記載のコイル部品。
【発明の詳細な説明】
【技術分野】
【０００１】
本発明は各種電子機器に用いる電圧変換用のコイル部品に関するものである。
【背景技術】
【０００２】
以下、従来のコイル部品について図面を参照しながら説明する。
【０００３】
図４は従来のコイル部品の平面図、図５は同コイル部品の断面図である。
【０００４】
図４、図５において、従来のコイル部品は、一次コイル用導線１と二次コイル用導線２とを各々螺旋状に平面的に巻回して形成した一次コイル３と二次コイル４とを交互に積層している。そして、複数の層に積層された一次コイル３の端部を互いに接続するとともに、複数の層に積層された二次コイル４の端部を互いに接続している（図示せず）。各々の端部は、仕様に合わせて並列接続したり直列接続したりしている。
【０００５】
また、互いに接続された一次コイル３と二次コイル４の各々の先端部は引き出し線５として内周側と外周側から引き出し、その先端には端子接続用の接続部を設けている。
【０００６】
さらに、積層された一次コイル３および二次コイル４の中心部の貫通孔６には、２つのＥ型コア７の中磁脚８を挿入し、互いの中磁脚８と外磁脚９とを突き合わせて閉磁路状磁心を形成している。この際、互いの外磁脚９は接着剤で接着固定しており、互いの中磁脚８は空気層からなるギャップ１０を介して突き合わせている。
【０００７】
そして、閉磁路磁心が実装基板に対向するようにして、実装している。
【０００８】
なお、この出願の発明に関連する先行技術文献情報としては、例えば、特許文献１が知られている。
【特許文献１】特開平７−１３５１１７号公報
【発明の開示】
【発明が解決しようとする課題】
【０００９】
上記構成では、積層された一次コイル３および二次コイル４の中心部の貫通孔６に、２つのＥ型コア７の中磁脚８を挿入し、中磁脚８と外磁脚９とを突き合わせて閉磁路状磁心を形成しているが、駆動時において、磁脚の振動に起因したうなり音が生じるという問題点を有していた。
【００１０】
特に、外磁脚９を接着剤で接着固定しているので、うなり音が緩和されたり吸収されたりする部分がなく、うなり音を助長していた。また、中磁脚８は空気層からなるギャップ１０を介して突き合わせているので、駆動時において、ギャップ１０近傍からもうなり音が生じていた。
【００１１】
本発明は上記問題点を解決するもので、うなり音を抑制したコイル部品を提供することを目的としている。
【課題を解決するための手段】
【００１２】
上記目的を達成するために本発明は、特に、実装基板と閉磁路磁心との間に前記閉磁路磁心または前記実装基板の弾性率よりも大きい弾性率を有する緩衝材を設けた構成である。
【発明の効果】
【００１３】
上記構成によれば、閉磁路磁心と実装基板との間に閉磁路磁心または実装基板の弾性率よりも大きい弾性率を有する緩衝材を設けているので、磁脚の振動に起因して生じるうなり音は緩衝材によって緩和、吸収することができる。
【００１４】
特に、緩衝材は、閉磁路磁心または実装基板の弾性率よりも大きい弾性率を有するので、磁脚の振動が閉磁路磁心または実装基板に伝わって増幅されることを抑制し、的確にうなり音を抑制できる。
【発明を実施するための最良の形態】
【００１５】
以下、本発明の一実施の形態におけるコイル部品について、図面を参照しながら説明する。
【００１６】
図１は本発明の一実施の形態におけるコイル部品の断面図、図２は同コイル部品の斜視図、図３は同コイル部品の分解斜視図である。
【００１７】
図１、図２において、本発明の一実施の形態におけるコイル部品は、複数の磁脚を有する２つの分割磁心３１を組み合わせて形成した閉磁路磁心３２と、この閉磁路磁心３２に巻回した巻線とを備えている。
【００１８】
分割磁心３１は、平板状の背磁脚３３と、この背磁脚３３の中央部に配置した中磁脚３４と、この中磁脚３４の外側に配置した外磁脚３５とを有するＥ型形状であって、一方の分割磁心３１の背磁脚３３を実装基板３６に対向させ、この分割磁心３１と実装基板３６との間に分割磁心３１および実装基板３６の弾性率よりも大きい弾性率を有する緩衝材３７を設けている。この際、緩衝材３７の厚みを一定以上に確保するために、スペーサを背磁脚３３のコーナ部（図示せず）に設けている。
【００１９】
また、一方の分割磁心３１の中磁脚３４と他方の分割磁心３１の中磁脚３４との突き合わせ面との間、および、一方の分割磁心３１の外磁脚３５と他方の分割磁心３１の外磁脚３５との突き合わせ面との間にはギャップ３８を設けている。このギャップ３８には、中磁脚３４および外磁脚３５の外形よりも小さいギャップ紙２４を挟み込んでおり、中磁脚３４の突き合わせ面に１つ、２つの外磁脚３５の両端部に２つずつ挟み込み、接着剤３９を塗布して、２つの分割磁心３１を互いに接着している。
【００２０】
さらに、分割磁心３１の中磁脚３４には巻線を施しており、一次コイル用導線４０と二次コイル用導線４１とを混合し、螺旋状に巻回して形成したコイル部４２を２組積層している。この２組のコイル部４２の内、一方のコイル部４２の一次コイル用導線４０は、さらに延長し、螺旋状に巻回して、一次コイル４３を形成し、この一方のコイル部４２の上層に積層している。
【００２１】
上記構成により、閉磁路磁心３２と実装基板３６との間に閉磁路磁心３２または実装基板３６の弾性率よりも大きい弾性率を有する緩衝材３７を設けているので、磁脚の振動に起因して生じたうなり音は、緩衝材３７によって緩和、吸収することができる。
【００２２】
特に、緩衝材３７は、閉磁路磁心３２または実装基板３６の弾性率よりも大きい弾性率を有するので、磁脚の振動が閉磁路磁心３２または実装基板３６に伝わって増幅されることを抑制し、的確にうなり音を抑制できる。
【００２３】
また、分割磁心３１の少なくとも一方は、平板状の背磁脚３３と、この背磁脚３３の中央部に配置した中磁脚３４と、この中磁脚３４の外側に配置した外磁脚３５とを有するＥ型形状とし、一方の分割磁心３１の中磁脚３４と他方の分割磁心３１との間にはギャップ３８を設けているので、このギャップ３８によって磁気飽和を抑制できるとともに、背磁脚３３を平板状にしているので、この背磁脚３３と緩衝材３７との接触面積が大きくなり、磁脚の振動を的確に緩衝材３７に吸収させ、緩和させることができる。
【００２４】
なお、緩衝材３７として接着性を有する材料を用いれば、閉磁路磁心３２と緩衝材３７、または実装基板３６と緩衝材３７との剥離を抑制し、磁脚の振動を的確に緩衝材３７に吸収させ、緩和させることができる。
【００２５】
また、緩衝材３７として放熱性の良い材料を用いれば、駆動時におけるコイル部品の熱を実装基板３６に放熱したり、熱源となるＦＥＴやＩＣ等の電子部品の熱をコイル部品の閉磁路磁心３２に放熱したりすることもできる。
【００２６】
さらに、閉磁路磁心３２の背磁脚３３と実装基板３６との間にスペーサを設ければ、このスペーサの厚みの分だけ緩衝材３７の厚みを均等に確保でき、磁脚の振動をより的確に抑制できるため、うなり音のバラツキが非常に小さくできる。特に、スペーサとして粘着テープを用いれば、難しい治具等が不要で簡単に実現でき、閉磁路磁心３２のコーナ部にのみ、スペーサを設ければ、スペーサの使用量を少なくすることもできる。
【００２７】
また、スペーサとしてガラスビーズのような略球形の材料などを用いてやっても一定の厚みを確保することが出来る。このガラスビーズは、緩衝材３７に予め、混ぜてやるか、緩衝材３７を塗布した後で振りかけてやるなどしてやれば、面倒なテープ貼り作業をなくす事ができる。
【００２８】
なお、この緩衝材の厚みを一定にするため、スペーサを用いず、治具などを用いてやっても同じ効果が得られることは、いうまでもない。
【産業上の利用可能性】
【００２９】
以上のように本発明にかかるコイル部品は、うなり音を抑制でき、各種電子機器等に用いるコイル部品に適用できる。
【図面の簡単な説明】
【００３０】
【図１】本発明の一実施の形態におけるコイル部品の断面図
【図２】同コイル部品の斜視図
【図３】同コイル部品の分解斜視図
【図４】従来のコイル部品の平面図
【図５】同コイル部品の断面図
【符号の説明】
【００３１】
３１  分割磁心
３２  閉磁路磁心
３３  背磁脚
３４  中磁脚
３５  外磁脚
３６  実装基板
３７  緩衝材
３８  ギャップ
３９  接着剤
４０  一次コイル用導線
４１  二次コイル用導線
４２  コイル部
４３  一次コイル
【図１】
2006066683.tif 000003
【図２】
2006066683.tif 000004
【図３】
2006066683.tif 000005
【図４】
2006066683.tif 000006
【図５】
2006066683.tif 000007